(57)【要約】【課題】色空間ｓＹＣＣのＪＰＥＧ符号化されたカラー画像情報を受信する際、そのＪＰＥＧヘッダの内容に基づいて、その受信した符号化情報をメモリカードに記憶するか否かを決定する。【解決手段】カラー画像情報を通信可能なファクシミリ装置において、色空間ｓＹＣＣのＪＰＥＧ符号化情報を受信する際、そのＪＰＥＧ符号化情報のヘッダでＹパラメータでライン数が通知されているかどうかを判断し（Ｓ１０）、通知されている時はその受信画像情報をメモリカードに記憶し（Ｓ１１，Ｓ１２）、そうでない時は、その受信画像を印刷する（Ｓ１５）。【選択図】  図４
2004247885.tif 000002
【特許請求の範囲】
【請求項１】
カラー画像情報を通信可能なファクシミリ装置であって、
色空間ＬａｂでのＪＰＥＧ符号化情報を受信するＪＰＥＧ受信手段と、
色空間Ｌａｂでのフルカラー画像情報を受信するフルカラー受信手段と、
色空間ｓＹＣＣのＪＰＥＧ符号化情報を受信するｓＹＣＣ受信手段と、
受信画像情報を記憶するための記憶媒体を着脱自在に装着する媒体装着手段と、
前記ｓＹＣＣ受信手段によるＪＰＥＧ符号化情報の受信時、前記ＪＰＥＧ符号化情報のヘッダの内容に応じて前記ＪＰＥＧ符号化情報の処理方法を変更するように制御する制御手段と、
を有することを特徴とするファクシミリ装置。
【発明の詳細な説明】
【０００１】
【発明の属する技術分野】
本発明は、カラー画像情報を送受信する技術に関するものである。
【０００２】
【従来の技術】
従来のカラー情報を通信可能なファクシミリ装置は、ＩＴＵ−Ｔ勧告Ｔ．３０，Ｔ．４，Ｔ．８１，Ｔ．４２で定められた色空間Ｌａｂでのカラー通信であった。最近はデジタルカメラが普及しており、このデジタルカメラで撮影したカラー画像情報をそのままファクシミリのプロトコルを使用して送信したいというニーズが高まってきた。しかし、デジタルカメラで使用しているカラー画像情報の色空間は、上記の勧告におけるＬａｂとは異なる色空間ｓＹＣＣである。このため、このデジタルカメラで扱われているカラー画像の色空間ｓＹＣＣでのＪＰＥＧ符号化情報を、上述の勧告の下でそのまま送信したいというニーズが発生している。
【０００３】
【発明が解決しようとする課題】
デジタルカメラで撮影したカラー画像情報では、副走査方向のライン数が判っているため、撮影されたＪＰＥＧ画像のＪＰＥＧヘッダのＹパラメータに副走査方向のライン数が格納されている。従って、このような画像データを処理するデジタルカメラ或いはＰＣでは、そのＪＰＥＧヘッダを前提に処理している。
【０００４】
これに対して、カラー原稿画像を読み取ってファクシミリ送信する場合には、読み取った原稿から作成されたＪＰＥＧ画像のＪＰＥＧヘッダに副走査方向のライン数の情報が含まれず、ＤＮＬマーカによりページ情報の後端に、そのページのライン数を挿入して送信している。
【０００５】
従って、色空間ｓＹＣＣにて、カラー原稿情報をファクシミリ送信する場合には、ＪＰＥＧのヘッダではライン数が通知されずに、１ページ情報の後端のＤＮＬマーカで、そのページのライン数が通知されることになる。従って、このファクシミリ情報を受信した受信機で、その受信したカラー原稿情報をメモリカードへそのままアップロードすると、デジタルスチルカメラやＰＣでは、そのメモリカードの内容を正しく読み取れなくなるという事態が発生する。即ち、送信側のファクシミリ装置が、カラー画像の通信のために色空間ｓＹＣＣのみをサポートして、カラー原稿を読み取って送信でき、またデジタルカメラで撮影したカラー画像情報の送信が可能な場合に、受信側のファクシミリ装置では、その受信画像データをメモリカードにアップロードした場合に、その内容が読み取れなくなるという虞がある。
【０００６】
また、デジタルカメラで撮影した情報と原稿情報を読み取った時では、主走査方向のライン数が異なる。例えば、送信側から原稿情報を色空間ｓＹＣＣでＪＰＥＧ符号化してカラー送信し、受信側ではこの情報を受信してメモリカードにアップロードする場合が考えられる。この場合、このメモリカードに記憶された画像情報をデジタルスチルカメラ或いはＰＣで処理しようとした場合は、ＪＰＥＧヘッダのＸパラメータ（主走査方向のビット数）に今まで扱ったことがない主走査方向のビット数が設定されているため、正しくＪＰＥＧ復号処理ができなくなる。
【０００７】
本発明は上記従来例に鑑みてなされたもので、色空間ｓＹＣＣのＪＰＥＧ符号化されたカラー画像情報を受信する際、そのＪＰＥＧヘッダの内容に基づいて、その受信した符号化情報を記憶媒体に記憶するか否かを決定することにより、上述した問題が発生しないようにしたファクシミリ装置を提供することを目的とする。
【０００８】
【課題を解決するための手段】
上記目的を達成するために本発明のファクシミリ装置は以下のような構成を備える。即ち、
カラー画像情報を通信可能なファクシミリ装置であって、
色空間ＬａｂでのＪＰＥＧ符号化情報を受信するＪＰＥＧ受信手段と、
色空間Ｌａｂでのフルカラー画像情報を受信するフルカラー受信手段と、
色空間ｓＹＣＣのＪＰＥＧ符号化情報を受信するｓＹＣＣ受信手段と、
受信画像情報を記憶するための記憶媒体を着脱自在に装着する媒体装着手段と、
前記ｓＹＣＣ受信手段によるＪＰＥＧ符号化情報の受信時、前記ＪＰＥＧ符号化情報のヘッダの内容に応じて前記ＪＰＥＧ符号化情報の処理方法を変更するように制御する制御手段とを有することを特徴とする。
【０００９】
【発明の実施の形態】
以下、添付図面を参照して本発明の好適な実施の形態を詳細に説明する。
【００１０】
図１は、本発明の実施の形態に係るファクシミリ装置の構成を示すブロック図である。
【００１１】
図において、２はＮＣＵ（網制御装置）で、電話回線２ａをデータ通信等に使用するために電話回線２ａを介して他の端末に接続したり、電話交換網の接続制御を行う。また、このＮＣＵ２は、データ通信路への切り換えを行ったり、ループの保持を行う。更にＮＣＵ２は、ＣＰＵ２２によりバス２６を介して制御されることにより、電話回線２ａを電話機４側に接続（ＣＭＬオフ）したり、電話回線２ａをファクシミリ装置（ハイブリット回路６）側に接続（ＣＭＬオン）する。尚、通常状態では、電話回線２ａは電話機４側（２ｂ）に接続されている。６はハイブリッド回路で、送信系の信号と受信系の信号とを分離し、加算回路１２からの送信信号１２ａをＮＣＵ２経由で電話回線２ａに送出する。また相手側からの信号をＮＣＵ２を経由して受け取り、信号線６ａ経由で変復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａに出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報とを入力し、それらを加算した結果を信号線１２ａに出力する。
【００１２】
１４はカラー画像を読み取り可能な読取回路で、読み取ったカラー画像データをバス２６に出力する。１６はカラー画像の記録が可能な記録回路で、バス２６を介して記録情報を入力し、その記録情報に従って順次１ライン毎に記録する。１８はメモリ（ＲＡＭ）で、ワーク用のメモリ（ＲＡＭ）、更に、読み取り回路１４で読み取った画像データの生情報、或いは、その画像情報を符号化した情報を格納したり、また、電話回線２ａを介して受信した受信情報、及びそれを復号した情報等を、バス２６を介して入力して格納している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をカードへ転送する選択キー、各種モードを設定するためのキーやその他のファンクションキーを備えており、この操作部２０で操作されたキー情報はバス２６を介して出力される。この操作部２０には表示部が設けられており、この表示部には、バス２６を介して入力される情報が表示される。２２はＣＰＵ（中央処理装置）で、この実施の形態に係るファクシミリ装置全体の動作を制御をしたり、ファクシミリの伝送制御手順を実行している。なお、このＣＰＵ２２の制御プログラムはＲＯＭ２４に格納されている。２８はカード・インターフェース部で、メモリカード３０（例えば、デジタルカメラで撮影した情報が記憶されているカードメモリ）がセットされる。
【００１３】
図２は本発明の実施の形態に係る、カラー画像の送受信関連のビット情報、及び新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ符号の受信機能の有無を通知する。またＤＣＳ信号のＦＩＦのビット６８により、色空間ＬａｂでのＪＰＥＧ符号の送信を指定する。
（２）ＤＩＳ／ＤＴＣ信号のＦＩＦのビット６９により、色空間がＬａｂであるフルカラー画像情報の受信機能の有無を通知する。またＤＣＳ信号のＦＩＦのビット６９により、色空間Ｌａｂでのフルカラー画像情報の送信を指定する。
（３）ＤＩＳ／ＤＴＣ信号のＦＩＦのビットＸにより、色空間ｓＹＣＣでのＪＰＥＧ符号の受信機能の有無を通知する。また、ＤＣＳ信号のＦＩＦのビットＸにより、色空間ｓＹＣＣでのＪＰＥＧ符号での送信を指定する。
【００１４】
以上の構成を備える本実施の形態に係るカラー画像情報を通信可能なファクシミリ装置では、前手順にて、受信機から送信機に対して、色空間ＬａｂでのＪＰＥＧ符号化情報の受信機能の有無、色空間Ｌａｂでのフルカラー画像情報の受信機能の有無、色空間ｓＹＣＣでのＪＰＥＧ符号化情報の受信機能の有無を通知する。
【００１５】
一方、送信機から受信機には、色空間ＬａｂでのＪＰＥＧ符号化情報の送信指定、色空間Ｌａｂでのフルカラー画像情報の送信指定、或いは色空間ｓＹＣＣでのＪＰＥＧ符号化情報の送信指定を行う。いま送信機からの色空間ｓＹＣＣのＪＰＥＧ符号化情報を受信している時、受信機ではＪＰＥＧヘッダの内容により受信方法を変更する。
【００１６】
具体的には、色空間ｓＹＣＣのＪＰＥＧ符号化情報を受信している時、ＪＰＥＧヘッダのＹパラメータの内容により受信方法を変更する。即ち、色空間ｓＹＣＣのＪＰＥＧ符号化情報を受信する時、ＪＰＥＧヘッダのＹパラメータが副走査方向のライン数を通知している時は受信情報をメモリカード（着脱可能な記憶媒体）に格納し、ＪＰＥＧヘッダのＹパラメータが副走査方向のライン数を通知していない時は、受信情報を記録（印刷）する。
【００１７】
一方、色空間ＬａｂのＪＰＥＧ符号化情報を受信している時は、ＪＰＥＧヘッダの内容に応じて受信方法を変更しない。具体的には、色空間ＬａｂのＪＰＥＧ符号化情報を受信する際は、ＪＰＥＧヘッダのＹパラメータが副走査方向のライン数を通知しているか否かに拘わらず受信情報を記録（印刷）する。
【００１８】
［実施の形態１］
図３乃至図７は、本発明の実施の形態１に係るファクシミリ装置における処理を示すフローチャートであり、この処理を実行するプログラムはＲＯＭ２４に記憶されており、ＣＰＵ２２の制御の下に実行される。
【００１９】
まずステップＳ１で、バス２６を介して、メモリ１８の内容を初期化する。次にステップＳ２に進み、バス２６を介して、操作部２０の表示部をクリアする。そしてステップＳ３に進み、バス２６を介してＮＣＵ２のＣＭＬをオフする。次にステップＳ４に進み、このファクシミリ装置において、ファクシミリ受信が選択されたか否かを判断し、ファクシミリ受信が選択された時はステップＳ６に進み、そうでない時はステップＳ５に進む。ステップＳ５では、指定或いは選択されたその他の処理を実行してステップＳ４２（図７（Ｂ））に進む。
【００２０】
一方ステップＳ４で受信が選択された時はステップＳ６に進み、バス２６を介してＮＣＵ２のＣＭＬをオンする。次にステップＳ７に進み、前手順を実行する。ここでは、ＤＩＳ信号のＦＩＦのビット６８，６９，Ｘビットを全て「１」にする。そしてステップＳ８に進み、ＤＣＳ信号のＦＩＦのビットＸが「１」であるか（色空間ｓＹＣＣでのＪＰＥＧ送信が指定されているか）否かを判断し、そうであればステップＳ９に進み、そうでない時はステップＳ２３（図５（Ｃ））に進む。ステップＳ９では、色空間ｓＹＣＣのＪＰＥＧ符号化データのヘッダを受信する。
【００２１】
次にステップＳ１０（図４）に進み、ＪＰＥＧ符号化のヘッダのＹパラメータにより、副走査方向のライン数が通知されているか否かを判断し、通知されている時はステップＳ１１に進む。このステップＳ１０では、副走査方向のライン数がＪＰＥＧヘッダのＹパラメータに格納されている色空間ｓＹＣＣのＪＰＥＧ符号の受信であることを意味しており、この場合には受信データをメモリカード３０に格納するようにステップＳ１１に進む。これにより、この受信してメモリカード３０に格納した画像は、デジタルカメラ或いはＰＣで表示することが可能になり、その受信した画像情報を種々の目的に使用できる。よってステップＳ１１で、カードインターフェース２８にメモリカード３０が装着されているか否かを判定し、装着されていればステップＳ１２に進み、色空間ｓＹＣＣのＪＰＥＧ符号化データを受信してメモリカード３０に格納する。これにより、受信したＪＰＥＧ符号化データをメモリカード３０に格納して再利用できるようになる。そしてステップＳ１３に進み、後手順を実行して前述のステップＳ３（図３）に戻る。
【００２２】
一方ステップＳ１１でメモリカード３０が装着されていない場合、或いはステップＳ１０で、副走査方向のライン数がＪＰＥＧヘッダのＹパラメータに格納されておらずＤＮＬマーカで通知される色空間ｓＹＣＣのＪＰＥＧ符号の受信の場合には、受信した画像データをメモリカード３０に格納しても、その画像はデジタルカメラ或いはＰＣで読み取って表示できないことが予想されるので、その受信情報をメモリカード３０に格納せずプリントする。よってこの場合はステップＳ１４に進み、記録回路１６に記録紙があるか否かを判定し、記録紙があると判定された時はステップＳ１５に進み、色空間ｓＹＣＣのＪＰＥＧ符号化データを受信し復号し、記録回路１６によりプリントする。次にステップＳ１６に進み、後手順を実行してステップＳ３（図３）に戻る。
【００２３】
またステップＳ１４で、記録回路１６に記録紙がない時はステップＳ１７に進み、受信データをメモリ１８に格納可能であるか否かを判断する。これはメモリ１８の受信画像を記憶するための空きメモリの容量が所定量以上かどうかにより判定される。格納可能、即ち、空きメモリの容量が所定量以上であればステップＳ２０（図５（Ａ）に進み、そうでない時はステップＳ２２（図５（Ｂ））に進む。ステップＳ２０では、色空間ｓＹＣＣのＪＰＥＧ符号化データを受信してメモリ１８に格納する。そして次にステップＳ２１に進み、後手順を実行してステップＳ３（図３）に戻る。
【００２４】
このステップＳ２０で記憶される受信情報では、ＪＰＥＧヘッダのＹパラメータで副走査方向のライン数が通知されていないので、メモリカード３０には格納せず、その後でプリントすることが重要である。これは上述したように、副走査方向のライン数がＪＰＥＧヘッダのＹパラメータに格納されていなく、ＤＮＬマーカで通知される色空間ｓＹＣＣのＪＰＥＧ通信では、メモリカード３０にアップデートすると、デジタルカメラ或いはＰＣで読取りや表示がきないことが予想されるためである。
【００２５】
また図４のステップＳ１７で、受信データをメモリ１８に格納可能できない時はステップＳ２２（図５（Ｂ））に進み、操作部２０の表示部に「メモリ受信した情報をプリントをして下さい」と表示して、ステップＳ３に進む。このように表示することにより、オペレータにメモリ１８に格納されている受信データを記録回路１６で記録するように指示する。こうして印刷が実行されると、メモリ受信により記憶されている受信データが消去される。これによりメモリ１８のデータが消去されて、次に受信するデータをメモリ１８に記憶することができるようになる。尚、この表示は何らかのキー操作で消去される。
【００２６】
また図３のステップＳ８で、ＤＣＳ信号のビットＸが「１」でない（色空間ｓＹＣＣでのＪＰＥＧ送信でない）ときはステップＳ２３（図５（Ｃ））に進み、ＤＣＳ信号のＦＩＦのビット６８が「１」であるか否かを判断し、「１」であれば（色空間ＬａｂでのＪＰＥＧ送信データの場合）ステップＳ２４に進み、記録回路１６に記録紙がセットされているか否かを判断し、記録紙があればステップＳ２５に進み、色空間ＬａｂでのＪＰＥＧ符号化データを受信し復号して記録回路１６により印刷する。そしてステップＳ３０（図６（Ａ））に進み、後手順を実行してステップＳ３に進む。ここで、色空間ＬａｂのＪＰＥＧ送信では、原稿情報の送信が多いことが予想されるので、ＪＰＥＧヘッダのＹパラメータで副走査方向のライン数が通知されたか否かに拘わらずプリントすることが重要である。
【００２７】
一方図５（Ｃ）のステップＳ２４で、記録紙がない場合はステップＳ３１（図６（Ｂ））に進み、前述のステップＳ１７と同様にして、受信データをメモリ１８に格納可能であるか否かを判断し、可能であればステップＳ３２に進み、色空間ＬａｂのＪＰＥＧ符号化データを受信してメモリ１８に格納する。ここでメモリ受信した情報は、色空間ＬａｂのＪＰＥＧ送信では、原稿情報の送信が多いことが予想されるので、ＪＰＥＧヘッダのＹパラメータで副走査方向のライン数が通知されたか否かに無関係に後でプリントする。そしてステップＳ３３に進み、後手順を実行してステップＳ３に戻る。
【００２８】
また一方、図５（Ｃ）のステップＳ２３で、ＤＣＳ信号のビット６８が「１」でない時はステップＳ３４（図６（Ｃ））に進み、記録回路１６に記録紙がセットされているか否かを判断し、記録紙がセットされていればステップＳ３５に進み、モノクロ画像情報を受信し復号して記録回路１６によりプリントする。次にステップＳ３６に進み、後手順を実行してステップＳ３に戻る。
【００２９】
またステップＳ３４で記録紙がセットされていない時はステップＳ３７に進み、前述のステップＳ１７と同様にして、受信データをメモリ１８に格納可能であるか否かを判断し、格納できる時はステップＳ４０（図７（Ａ））に進み、モノクロの受信情報をメモリ１８に格納する。そしてステップＳ４１に進み、後手順を実行してステップＳ３に戻る。尚、ステップＳ３７で、受信データをメモリ１８に格納できない時はステップＳ２２（図５（Ｂ））に進み、前述したように、操作部２０にメモリ受信データを印刷するように促す表示を行ってステップＳ３に進む。
【００３０】
また前述の図３のステップＳ５に続いてステップＳ４２（図７（Ｂ））に進み、オペレータが操作部２０を操作して、代行受信してメモリ１８に格納されている受信データのプリントが指示したか否かを判断し、メモリ受信データの印刷が指示されるとステップＳ４３に進み、選択された代行受信情報の受信情報に従い、カラー或いはモノクロでプリントする。こうしてメモリ受信してメモリ１８に記憶されていた画像情報が印刷されると、その画像情報はメモリ１８から消去される。そしてステップＳ３に戻る。
【００３１】
以上説明したように本実施の形態１によれば、以下のような効果がある。
（ａ）副走査方向のライン数がＪＰＥＧヘッダのＹパラメータに格納されている色空間ｓＹＣＣのＪＰＥＧ符号を受信する際には、受信した符号化データをメモリカードにアップデートする。これにより、そのメモリカードに記憶した画像情報を、デジタルカメラ或いはＰＣで表示することが可能になる。
（ｂ）副走査方向のライン数がＪＰＥＧヘッダのＹパラメータに格納されておらず、そのライン数がＤＮＬマーカで通知されるような、色空間ｓＹＣＣのＪＰＥＧ符号の受信の場合では、その受信データをメモリカードにアップデートするとデジタルカメラ或いはＰＣで表示できなくなることが予想されるので、そのような場合の受信画像情報はメモリカードに格納せずにプリントする。
（ｃ）これにより送信画像のファクシミリ装置が、カラー画像の通信に色空間ｓＹＣＣのみをサポートして、カラー原稿のファクシミリ送信及びデジタルカメラで撮影したカラー画像情報の送信を実行している場合であっても、受信側のファクシミリ装置における不具合の発生を防止できる。
【００３２】
［実施の形態２］
次に本発明の実施の形態２について説明する。この実施の形態２では、色空間ｓＹＣＣのＪＰＥＧ符号の受信時、ＪＰＥＧヘッダの内容（例えばＸパラメータ）に応じて受信方法を変更することを特徴としている。尚、この実施の形態２に係るファクシミリ装置のハードウェア構成及びＤＩＳ／ＤＴＳ信号及びＤＣＳ信号のＦＩＦの各ビットの定義は前述の実施の形態１の場合と同様であるため、その説明を省略する。
【００３３】
図８乃至図１０は、本発明の実施の形態２に係るファクシミリ装置における処理を示すフローチャートであり、この処理を実行するプログラムはＲＯＭ２４に記憶されており、ＣＰＵ２２の制御の下に実行される。
【００３４】
まずステップＳ５１で、バス２６を介してメモリ１８の内容を初期化する。次にステップＳ５２に進み、バス２６を介して、操作部２０の表示をクリアする。そしてステップＳ５３に進み、バス２６を介してＮＣＵ２のＣＭＬをオフする。次にステップＳ５４に進み、このファクシミリ装置において、ファクシミリ受信が選択されたか否かを判断し、ファクシミリ受信が選択された時はステップＳ５６に進み、そうでない時はステップＳ５５に進む。ステップＳ５５では、指定或いは選択されたその他の処理を実行してステップＳ５３に進む。
【００３５】
一方ステップＳ５４で受信が選択された時はステップＳ５６に進み、バス２６を介してＮＣＵ２のＣＭＬをオンする。次にステップＳ５７に進み、前手順を実行する。ここでは、ＤＩＳ信号のＦＩＦのビット６８，６９，Ｘを全て「１」にする。そしてステップＳ５８に進み、ＤＣＳ信号のＦＩＦのビットＸが「１」であるか（色空間ｓＹＣＣでのＪＰＥＧ送信が指定されているか）否かを判断し、そうであればステップＳ５９に進み、そうでない時はステップＳ７３（図１０（Ｂ））に進む。
【００３６】
ステップＳ５９では、色空間ｓＹＣＣのＪＰＥＧ符号化データのヘッダを受信する。次にステップＳ６０（図９）に進み、ＪＰＥＧ符号化のヘッダのＸパラメータの主走査方向のビット数は、Ａ４サイズ、Ｂ４サイズ、Ａ３サイズの内のいずれかの原稿サイズを示しているか否かを判断し、そうであればステップＳ６１に進み、そうでない時はステップＳ７０（図１０（Ａ））に進む。ここで、色空間ｓＹＣＣのＪＰＥＧ符号の場合では、ＪＰＥＧヘッダのＸパラメータに格納されて主走査方向のビット数が、原稿サイズ（Ａ４サイズ、或いはＢ４サイズ、或いはＡ３サイズ）であると、そのＪＰＥＧ符号をメモリカード３０に格納すると、そのＪＰＥＧ符号をデジタルカメラやＰＣで読み取って表示できないことが予想されるのでステップＳ６１に進み、その受信下ＪＰＥＧ符号をメモリカード３０に格納せずプリントする。このように、ここでは色空間ｓＹＣＣのＪＰＥＧ符号化データを受信してプリントすることが重要である。
【００３７】
こうしてステップＳ６２で１ページの受信が終了するとステップＳ６３に進み、中間手順を実行する。次にステップＳ６４に進み、次ページのＪＰＥＧ符号があるかどうかを調べ、あればステップＳ５９（図８）に進み、前述した手順を実行するが、次にページのデータがない時はステップＳ６５に進み、後手順を実行してステップＳ５３に進む。
【００３８】
一方、ステップＳ６０で、Ｘパラメータが原稿サイズを示していない時はステップＳ７０（図１０（Ａ））に進む。ここでは色空間ｓＹＣＣのＪＰＥＧ符号を受信した時には、ＪＰＥＧヘッダのＸパラメータに格納されている主走査方向のビット数が原稿サイズでないと、そのＪＰＥＧ符号をメモリカード３０に格納しても、そのＪＰＥＧ符号をデジタルカメラ或いはＰＣで読み取って表示することが可能なため、その受信下ＪＰＥＧ符号をメモリカード３０に格納する（ステップＳ７１）。こうして確実に、受信したＪＰＥＧ符号化データをデジタルカメラやＰＣで再利用できる。
【００３９】
この処理を詳しく説明すると、まずステップＳ７０（図１０（Ａ））で、メモリカード３０がセットされていて、かつ、受信データをメモリカード３０に格納可能であるか、即ち、メモリカード３０に空きがあるかどうかを判断し、格納可能であればステップＳ７１に進み、色空間ｓＹＣＣのＪＰＥＧ符号を受信してメモリカード３０に格納する。次にステップＳ７２に進み、１ページの受信が終了したか否かを判断し、受信が終了するとステップＳ６３（図９）に進むが、終了していない時はステップＳ７１に戻り、前述したデータ受信とメモリカード３０への格納処理を実行する。
【００４０】
また前述のステップＳ５８（図８）でビットＸが「１」でない時はステップＳ７３（図１０（Ｂ））に進み、ＤＣＳ信号のＦＩＦのビット６８，６９がともに「１」であるか否かを判断し、「１」であればステップＳ７４に進み、全ページの色空間ＬａｂでのＪＰＥＧのフルカラー情報をＪＰＥＧヘッダのＸパラメータの値（Ｘパラメータが原稿サイズのビット数であるか否か）に無関係に受信して記録回路１６でプリントする。ここで、色空間ＬａｂのＪＰＥＧ送信では、原稿情報の送信が多いことが予想されるので、ＪＰＥＧヘッダのＸパラメータの値（Ｘパラメータが原稿サイズのビット数であるか否か）に無関係にプリントすることが重要である。尚、この処理ステップは中間手順を含んでいる。そしてステップＳ７６に進み、後手順を実行してステップＳ５３（図８）に進む。
【００４１】
またステップＳ７３で、ＤＣＳ信号のＦＩＦのビット６８，６９がともに「１」でない時はステップＳ７５に進み、全ページのモノクロ情報を受信してプリントする。尚、この処理ステップは中間手順を含んでいる。そしてステップＳ７６に進む。
【００４２】
［実施の形態３］
前述の実施の形態２において、色空間ｓＹＣＣのＪＰＥＧ符号の受信時、ＪＰＥＧヘッダのＸパラメータである主走査方向のビット数の情報がデジタルスチルカメラの画像サイズ（例えば、１６０ビット或いは６４０ビット）でない時、受信情報を印刷し、色空間ｓＹＣＣのＪＰＥＧ符号を受信した時、ＪＰＥＧヘッダのＸパラメータである主走査方向のビット数の情報が、デジタルスチルカメラサイズである時、受信情報をメモリカード３０に格納しても良い。
【００４３】
図１１は、前述の実施の形態２に係る図８乃至図１０の制御のフローチャートに対して異なる部分の制御のフローチャートが示されている。
【００４４】
図１１において、ステップＳ５９を実行した後ステップＳ８１に進み、ＪＰＥＧ符号のヘッダのＸパラメータに基づいて、主走査方向のビット数がデジタルカメラにおける画像サイズを表わしているか否かを判断し、そうであればステップＳ７０（図１０（Ａ））に進み、そうでない時はステップＳ６１（図９）に進む。
【００４５】
ここで、色空間ｓＹＣＣのＪＰＥＧ符号を受信した時は、ＪＰＥＧヘッダのＸパラメータに格納されている主走査方向のビット数が、デジタルスチルカメラの画像サイズであると、その受信したＪＰＥＧ符号をメモリカード３０に格納する。この場合は、そのメモリカードに記憶されたＪＰＥＧ符号は、デジタルカメラ或いはＰＣで読み取って表示することが可能になる。よってステップＳ７０で、メモリカード３０に空きがあるかどうかを調べ、空きがあって、受信したＪＰＥＧ符号を書込むことができる場合はステップＳ７１に進み、色空間ｓＹＣＣのＪＰＥＧ符号データをメモリカード３０に格納する。
【００４６】
一方、色空間ｓＹＣＣのＪＰＥＧ通信では、ＪＰＥＧヘッダのＸパラメータに格納されている主走査方向のビット数が、デジタルカメラの画像サイズでない場合には、その受信データをメモリカード３０に格納すると、そのメモリカード３０をデジタルカメラ或いはＰＣで読み取って表示することができなくなるため、その受信したＪＰＥＧ符号をメモリカード３０に格納せずプリントする（ステップＳ６１）。
【００４７】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００４９】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００５０】
上述した各実施の形態は以下のような実施態様で表わすことができる。
【００５１】
［実施態様１］  カラー画像情報を通信可能なファクシミリ装置であって、
色空間ＬａｂでのＪＰＥＧ符号化情報を受信するＪＰＥＧ受信手段と、
色空間Ｌａｂでのフルカラー画像情報を受信するフルカラー受信手段と、
色空間ｓＹＣＣのＪＰＥＧ符号化情報を受信するｓＹＣＣ受信手段と、
受信画像情報を記憶するための記憶媒体を着脱自在に装着する媒体装着手段と、
前記ｓＹＣＣ受信手段によるＪＰＥＧ符号化情報の受信時、前記ＪＰＥＧ符号化情報のヘッダの内容に応じて前記ＪＰＥＧ符号化情報の処理方法を変更するように制御する制御手段と、
を有することを特徴とするファクシミリ装置。
【００５２】
［実施態様２］  前記制御手段は、前記ＪＰＥＧ符号化情報のヘッダのＹパラメータが副走査方向のライン数を示している時は、前記ｓＹＣＣ受信手段により受信した情報を前記記憶媒体に格納することを特徴とする実施態様１に記載のファクシミリ装置。
【００５３】
［実施態様３］  前記制御手段は、前記ＪＰＥＧ符号化情報のヘッダのＹパラメータが副走査方向のライン数を示していない時は、前記ｓＹＣＣ受信手段により受信した情報を印刷することを特徴とする実施態様１に記載のファクシミリ装置。
【００５４】
［実施態様４］  前記制御手段は、前記ＪＰＥＧ受信手段がＪＰＥＧ符号化情報を受信する時は、受信した情報を印刷することを特徴とする実施態様１に記載のファクシミリ装置。
【００５５】
［実施態様５］  前記制御手段は、前記ＪＰＥＧ符号化情報のヘッダのＸパラメータが原稿サイズを示している時は、前記ｓＹＣＣ受信手段により受信した情報を印刷することを特徴とする実施態様１に記載のファクシミリ装置。
【００５６】
［実施態様６］  前記制御手段は、前記ＪＰＥＧ符号化情報のヘッダのＸパラメータがデジタルカメラにおける画像サイズを示している時は、前記ｓＹＣＣ受信手段により受信した情報を記憶媒体に格納することを特徴とする実施態様１に記載のファクシミリ装置。
【００５７】
［実施態様７］  カラー画像情報を通信可能なファクシミリ装置における通信制御方法であって、
色空間ｓＹＣＣのＪＰＥＧ符号化情報を受信する受信工程と、
前記受信工程で受信した前記ＪＰＥＧ符号化情報のヘッダの内容に応じて前記ＪＰＥＧ符号化情報を受信して記憶媒体に記憶するか印刷するかを切り換えるように制御する制御工程と、
を有することを特徴とする通信制御方法。
【００５８】
［実施態様８］  前記制御工程では、前記ＪＰＥＧ符号化情報のヘッダのＹパラメータが副走査方向のライン数を示している時は、前記ｓＹＣＣ受信工程で受信した情報を前記記憶媒体に格納することを特徴とする実施態様７に記載の通信制御方法。
【００５９】
［実施態様９］  前記制御工程では、前記ＪＰＥＧ符号化情報のヘッダのＹパラメータが副走査方向のライン数を示していない時は、前記ｓＹＣＣ受信工程で受信した情報を印刷することを特徴とする実施態様７に記載の通信制御方法。
【００６０】
［実施態様１０］  色空間ＬａｂでのＪＰＥＧ符号化情報を受信するＪＰＥＧ受信工程を更に有し、前記制御工程では、前記ＪＰＥＧ受信工程でＪＰＥＧ符号化情報を受信する時は、受信した情報を印刷することを特徴とする実施態様７に記載の通信制御方法。
【００６１】
［実施態様１１］  前記制御工程では、前記ＪＰＥＧ符号化情報のヘッダのＸパラメータが原稿サイズを示している時は、前記ｓＹＣＣ受信工程で受信した情報を印刷することを特徴とする実施態様７に記載の通信制御方法。
【００６２】
［実施態様１２］  前記制御工程では、前記ＪＰＥＧ符号化情報のヘッダのＸパラメータがデジタルカメラにおける画像サイズを示している時は、前記ｓＹＣＣ受信工程で受信した情報を記憶媒体に格納することを特徴とする実施態様７に記載の通信制御方法。
【００６３】
【発明の効果】
以上説明したように本発明によれば、色空間ｓＹＣＣのＪＰＥＧ符号化されたカラー画像情報を受信する際、そのＪＰＥＧヘッダの内容に基づいて、その受信した符号化情報を記憶媒体に記憶するか否かを決定することにより、記憶媒体への受信データのロードによるり、その記憶媒体が他の装置で使用不能になるのを防止できるという効果がある。
【図面の簡単な説明】
【図１】本発明の実施の形態に係るファクシミリ装置の構成を示す機能ブロック図である。
【図２】本実施の形態に係るファクシミリ装置で使用されるＤＩＳ／ＤＴＣ，ＤＣＳ信号のＦＩＦ情報の具体例を示す図である。
【図３】本実施の形態１に係るファクシミリ装置における制御の流れを説明するフローチャートである。
【図４】本実施の形態１に係るファクシミリ装置における制御の流れを説明するフローチャートである。
【図５】本実施の形態１に係るファクシミリ装置における制御の流れを説明するフローチャートである。
【図６】本実施の形態１に係るファクシミリ装置における制御の流れを説明するフローチャートである。
【図７】本実施の形態１に係るファクシミリ装置における制御の流れを説明するフローチャートである。
【図８】本実施の形態２に係るファクシミリ装置における制御の流れを説明するフローチャートである。
【図９】本実施の形態２に係るファクシミリ装置における制御の流れを説明するフローチャートである。
【図１０】本実施の形態２に係るファクシミリ装置における制御の流れを説明するフローチャートである。
【図１１】本実施の形態３に係るファクシミリ装置における制御の流れを説明するフローチャートである。
【図１】
2004247885.tif 000003
【図２】
2004247885.tif 000004
【図３】
2004247885.tif 000005
【図４】
2004247885.tif 000006
【図５】
2004247885.tif 000007
【図６】
2004247885.tif 000008
【図７】
2004247885.tif 000009
【図８】
2004247885.tif 000010
【図９】
2004247885.tif 000011
【図１０】
2004247885.tif 000012
【図１１】
2004247885.tif 000013